(57)【要約】【課題】  抵抗成分の漏洩電流（地絡電流）を測定する。【解決手段】  配線Ｌｉｎｅ（１）には、トランスＴ１の電圧に対して位相が９０°進んだ電流Ｉｄが流れる。配線Ｌｉｎｅ（ａ）には電流Ｉａが流れる。地絡点Ｐから大地へは地絡電流Ｉｇｒと静電容量成分Ｉｙとを合成して得られる漏洩電流Ｉｏが流れる。配線Ｌｉｎｅ（ｂ）のうち地絡点ＰとノードＮ１との間には電流Ｉｂ（Ｉｂ＝Ｉａ−Ｉｏ）が流れる。クランプメータ１０３は、電路の配線Ｌｉｎｅ（ａ），Ｌｉｎｅ（ｂ）と、可変コンデンサ１０２と接続端子１０１ｂとを接続する配線Ｌｉｎｅ（１）とを一括して挟み込み、電流Ｉａ，Ｉｂ，Ｉｄの合計値（Ｉａ−Ｉｂ−Ｉｄ）を測定する。ここで、電流Ｉｄは漏洩電流Ｉｏの静電容量成分Ｉｙを打ち消すように作用する。【選択図】  図１
2006226879.tif 000002
【特許請求の範囲】
【請求項１】
電路に流れる漏洩電流のうち抵抗成分の電流値を測定する装置であって、
前記漏洩電流の静電容量成分に対して位相が１８０°ずれた電流を供給する電流供給部と、
前記漏洩電流と前記電流供給部によって供給された電流とを合成して得られる電流の電流値を測定するクランプメータとを備える、
ことを特徴とする漏洩電流測定装置。
【請求項２】
請求項１において、
前記電路は、
所定の交流電圧を生成するトランスと、
一端が第１の配線によって前記トランスの一端に接続され、他端が第２の配線によって前記トランスの他端に接続される負荷抵抗とを含み、
前記電流供給部は、
前記トランスの一端における電位を受ける第１の端子と、
前記トランスの他端における電位を受ける第２の端子と、
前記第１の端子と前記第２の端子との間に接続される可変コンデンサとを含み、
前記クランプメータは、
前記第１の配線を流れる電流，前記第２の配線を流れる電流，および前記可変コンデンサを流れる電流の合計値を測定する、
ことを特徴とする漏洩電流測定装置。
【請求項３】
請求項２において、
前記電流供給部は、
前記可変コンデンサに代えて、可変インダクタンスを含み、
前記可変インダクタンスは、前記第１の端子と前記第２の端子との間に接続され、
前記クランプメータは、
前記第１の配線を流れる電流，前記第２の配線を流れる電流，および前記可変インダクタンスを流れる電流の合計値を測定する、
ことを特徴とする漏洩電流測定装置。
【請求項４】
請求項１において、
前記電路は、
第１の交流電圧，第２の交流電圧，および第３の交流電圧を生成するトランスと、
前記トランスによって生成された第１の電圧を受ける第１の負荷抵抗と、
前記トランスによって生成された第２の電圧を受ける第２の負荷抵抗と、
前記トランスによって生成された第３の電圧を受ける第３の負荷抵抗とを含み、
前記電流供給部は、
前記トランスによって生成された第１〜第３の電圧を用いて、前記漏洩電流の静電容量成分に対して位相が９０°遅れた第４の電圧を生成する電圧生成部と、
前記電圧生成部によって生成された第４の電圧を受ける可変コンデンサとを含み、
前記クランプメータは、
前記トランスと前記第１の負荷抵抗との間を流れる電流と、前記トランスと前記第２の負荷抵抗との間を流れる電流と、前記トランスと前記第３の負荷抵抗との間を流れる電流と、前記可変コンデンサを流れる電流との合計値を測定する、
ことを特徴とする漏洩電流測定装置。
【請求項５】
請求項４において、
前記電流供給部は、
前記可変コンデンサに代えて、可変抵抗を含み、
前記電圧生成部は、
前記トランスによって生成された第１〜第３の電圧を用いて、前記漏洩電流の静電容量成分に対して同位相である第４の電圧を生成し、
前記可変抵抗は、
前記電圧生成部によって生成された第４の電圧を受け、
前記クランプメータは、
前記トランスと前記第１の負荷抵抗との間を流れる電流と、前記トランスと前記第２の負荷抵抗との間を流れる電流と、前記トランスと前記第３の負荷抵抗との間を流れる電流と、前記可変抵抗を流れる電流との合計値を測定する、
ことを特徴とする漏洩電流測定装置。
【請求項６】
請求項１において、
前記電路は、
所定の交流電圧を生成するトランスと、
一端が第１の配線によって前記トランスの一端に接続され、他端が第２の配線によって前記トランスの他端に接続される負荷抵抗と、
前記トランスの一端または前記負荷抵抗の一端に接続される接地線とを含み、
前記電流供給部は、
前記トランスにおける電圧と同位相の交流電圧を生成する交流電圧源と、
前記交流電圧源によって生成された交流電圧を受ける可変抵抗とを含み、
前記クランプメータは、
前記接地線を流れる電流および前記可変抵抗を流れる電流の合計値を測定する、
ことを特徴とする漏洩電流測定装置。
【請求項７】
請求項１において、
前記電路は、
第１の交流電圧，第２の交流電圧，および第３の交流電圧を生成するトランスと、
前記トランスによって生成された第１の電圧を受ける第１の負荷抵抗と、
前記トランスによって生成された第２の電圧を受ける第２の負荷抵抗と、
前記トランスによって生成された第３の電圧を受ける第３の負荷抵抗と、
前記トランスの一端に接続される接地線とを含み、
前記電流供給部は、
前記漏洩電流の静電容量成分に対して位相が１８０°ずれた交流電圧を生成する交流電圧源と、
前記交流電圧源によって生成された交流電圧を受ける可変抵抗とを含み、
前記クランプメータは、
前記接地線を流れる電流および前記可変抵抗を流れる電流の合計値を測定する、
ことを特徴とする漏洩電流測定装置。
【請求項８】
請求項１において、
前記クランプメータによって測定された合計値が最小になるように、前記電流供給部によって供給される電流の電流値を制御する制御部をさらに備える、
ことを特徴とする漏洩電流測定装置。
【発明の詳細な説明】
【技術分野】
【０００１】
この発明は、漏洩電流を測定する装置に関し、さらに詳しくは、電路を停電することなく漏洩電流の抵抗成分を測定することができる装置に関する。
【背景技術】
【０００２】
電気設備に関する技術基準を定める省令では、電気を安全に取り扱えるように漏洩電流の抵抗成分（地絡電流）を１ｍＡ以下に保たなければならないと規定されている。そのため、電路の漏洩電流の電流値を測定する必要がある。漏洩電流を測定する方法として、従来、電路を停電状態にして測定する方法や、第Ｂ種接地線にクランプメータを挟み込んで測定する方法等が採られている。
【特許文献１】特開平１０−７８４６２号公報
【特許文献２】特開２００２−１３１３６２号公報
【特許文献３】特開２００２−９０３９５号公報
【特許文献４】特開２００３−２５５０１１号公報
【発明の開示】
【発明が解決しようとする課題】
【０００３】
しかし、停電状態にすると不都合が生じる機器（例えば、交通信号器）では、容易に電力供給を停止することが困難である。また、第Ｂ種接地線にクランプメータを挟み込んで漏洩電流を測定する方法では、電路に存在する静電容量の影響を受け、本来測定すべき漏洩電流の抵抗成分（地絡電流）だけでなく静電容量成分も含む漏洩電流が測定されてしまうので、漏洩電流の抵抗成分を正確に測定することが困難であった。
【０００４】
本発明の目的は、停電状態にすることなく、漏洩電流の抵抗成分を測定することができる装置を提供することである。
【課題を解決するための手段】
【０００５】
この発明によれば、漏洩電流測定装置は、電路に流れる漏洩電流のうち抵抗成分の電流値を測定する。漏洩電流測定装置は、電流供給部と、クランプメータとを備える。電流供給部は、漏洩電流の静電容量成分に対して位相が１８０°ずれた電流を供給する。クランプメータは、漏洩電流と電流生供給部によって供給された電流とを合成して得られる電流の電流値を測定する。
【０００６】
上記漏洩電流測定装置では、漏洩電流の静電容量成分（電路が有する静電容量に応じた電流）は、電流生成部によって生成された電流によって除去される。よって、漏洩電流の抵抗成分の電流値がクランプメータによって測定される。このように、電路を停電状態にすることなく、漏洩電流の抵抗成分を測定することができる。
【０００７】
また、上記電路は、トランスと、負荷抵抗とを含む。トランスは、所定の交流電圧を生成する。負荷抵抗は、一端が第１の配線によってトランスの一端に接続され、他端が第２の配線によってトランスの他端に接続される。好ましくは、上記電流供給部は、第１の端子と、第２の端子と、可変コンデンサとを含む。第１の端子は、トランスの一端における電位を受ける。第２の端子は、トランスの他端における電位を受ける。可変コンデンサは、第１の端子と第２の端子との間に接続される。上記クランプメータは、第１の配線を流れる電流，第２の配線を流れる電流，および可変コンデンサを流れる電流の合計値を測定する。
【０００８】
上記漏洩電流測定装置では、可変コンデンサには、トランスにおける電圧に対して位相が９０°進んだ電流が流れる。また、漏洩電流の静電容量成分は、トランスにおける電圧に対して位相が９０°進んでいる。よって、可変コンデンサを流れる電流によって漏洩電流の静電容量成分を除去することができる。
【０００９】
また、上記電流供給部は、上記可変コンデンサに代えて、可変インダクタンスを含んでいてもよい。可変インダクタンスは、上記第１の端子と上記第２の端子との間に接続される。上記クランプメータは、上記第１の配線を流れる電流，上記第２の配線を流れる電流，および可変インダクタンスを流れる電流の合計値を測定する。
【００１０】
上記漏洩電流測定装置では、可変インダクタンスには、トランスにおける電圧に対して位相が９０°遅れた電流が流れる。また、漏洩電流の静電容量成分は、トランスにおける電圧に対して位相が９０°進んでいる。よって、可変インダクタンスを流れる電流によって漏洩電流の静電容量成分を除去することができる。
【００１１】
また、上記電路は、トランスと、第１〜第３の負荷抵抗を含む。トランスは、第１の交流電圧，第２の交流電圧，および第３の交流電圧を生成する。第１の負荷抵抗は、トランスによって生成された第１の電圧を受ける。第２の負荷抵抗は、トランスによって生成された第２の電圧を受ける。第３の負荷抵抗は、トランスによって生成された第３の電圧を受ける。好ましくは、上記電流供給部は、電圧生成部と、可変コンデンサとを含む。電圧生成部は、トランスによって生成された第１〜第３の電圧を用いて、上記漏洩電流の静電容量成分に対して位相が９０°遅れた第４の電圧を生成する。可変コンデンサは、電圧生成部によって生成された第４の電圧を受ける。上記クランプメータは、トランスと第１の負荷抵抗との間を流れる電流と、トランスと第２の負荷抵抗との間を流れる電流と、トランスと第３の負荷抵抗との間を流れる電流と、可変コンデンサを流れる電流との合計値を測定する。
【００１２】
上記漏洩電流測定装置では、可変コンデンサには、漏洩電流の静電容量成分に対して同位相の電流が流れる。よって、可変コンデンサを流れる電流によって漏洩電流の静電容量成分を除去することができる。
【００１３】
また、上記電流供給部は、上記可変コンデンサに代えて、可変抵抗を含んでいてもよい。上記電圧生成部は、上記トランスによって生成された第１〜第３の電圧を用いて、上記漏洩電流の静電容量成分に対して同位相である第４の電圧を生成する。可変抵抗は、上記電圧生成部によって生成された第４の電圧を受ける。上記クランプメータは、上記トランスと上記第１の負荷抵抗との間を流れる電流と、上記トランスと上記第２の負荷抵抗との間を流れる電流と、上記トランスと上記第３の負荷抵抗との間を流れる電流と、可変抵抗を流れる電流との合計値を測定する。
【００１４】
上記漏洩電流測定装置では、可変抵抗には、漏洩電流の静電容量成分に対して同位相の電流が流れる。よって、可変抵抗を流れる電流によって漏洩電流の静電容量成分を除去することができる。
【００１５】
また、上記電路は、トランスと、負荷抵抗と、接地線とを含む。トランスは、所定の交流電圧を生成する。負荷抵抗は、一端が第１の配線によってトランスの一端に接続され、他端が第２の配線によってトランスの他端に接続される。接地線は、トランスの一端または負荷抵抗の一端に接続される。好ましくは、上記電流供給部は、交流電圧源と、可変抵抗とを含む。交流電圧源は、トランスにおける電圧と同位相の交流電圧を生成する。可変抵抗は、交流電圧源によって生成された交流電圧を受ける。上記クランプメータは、接地線を流れる電流および可変抵抗を流れる電流の合計値を測定する。
【００１６】
上記漏洩電流測定装置では、可変抵抗には、漏洩電流の静電容量成分に対して同位相の電流が流れる。よって、可変抵抗を流れる電流によって漏洩電流の静電容量成分を除去することができる。
【００１７】
また、上記電路は、トランスと、第１〜第３の負荷抵抗と、接地線とを含む。トランスは、第１の交流電圧，第２の交流電圧，および第３の交流電圧を生成する。第１の負荷抵抗は、トランスによって生成された第１の電圧を受ける。第２の負荷抵抗は、トランスによって生成された第２の電圧を受ける。第３の負荷抵抗は、トランスによって生成された第３の電圧を受ける。接地線は、トランスの一端に接続される。好ましくは、上記電流供給部は、交流電圧源と、可変抵抗とを含む。交流電圧源は、上記漏洩電流の静電容量成分に対して位相が１８０°ずれた交流電圧を生成する。可変抵抗は、交流電圧源によって生成された交流電圧を受ける。上記クランプメータは、接地線を流れる電流および可変抵抗を流れる電流の合計値を測定する。
【００１８】
上記漏洩電流測定装置では、可変抵抗には、漏洩電流の静電容量成分に対して同位相の電流が流れる。よって、可変抵抗を流れる電流によって漏洩電流の静電容量成分を除去することができる。
【００１９】
好ましくは、上記漏洩電流測定部は、制御部をさらに備える。制御部は、上記クランプメータによって測定された合計値が最小になるように、上記電流供給部によって供給される電流の電流値を制御する。
【００２０】
上記漏洩電流測定装置では、クランプメータによる測定値を所定のレベル（例えば最小値）になるように制御することができる。これにより、クランプメータの測定値と地絡電流の電流値との関係に基づいて、漏洩電流の抵抗成分を容易に算出することができる。
【発明の効果】
【００２１】
以上のように、本発明による漏洩電流測定装置では、電路を停電状態にすることなく、漏洩電流の抵抗成分を測定することができる。
【発明を実施するための最良の形態】
【００２２】
以下、この発明の実施の形態を図面を参照して詳しく説明する。なお、図中同一または相当部分には同一の符号を付しその説明は繰り返さない。
【００２３】
（第１の実施形態）
＜全体構成＞
この発明の第１の実施形態による漏洩電流測定装置１の全体構成を図１に示す。この装置は、トランスＴ１および負荷抵抗Ｒ１によって構成された単相２線電路に流れる地絡電流（漏洩電流の抵抗成分）を測定する。この装置１は、接続端子１０１ａ，１０１ｂと、可変容量１０２と、クランプメータ１０３と、制御部１０４とを備える。接続端子１０１ａは、トランスＴ１と負荷抵抗Ｒ１とを接続する配線Ｌｉｎｅ（ａ）に接続される。電路接続端子１０１ｂは、トランスＴ１と負荷抵抗Ｒ１とを接続する配線Ｌｉｎｅ（ｂ）に接続される。可変コンデンサ１０２は、容量値を任意に設定することができるコンデンサであり、接続端子１０１ａと接続端子１０１ｂとの間に接続される。クランプメータ１０３のクランプ部は、単相２線電路の配線Ｌｉｎｅ（ａ），Ｌｉｎｅ（ｂ）と、可変コンデンサ１０２と接続端子１０１ｂとを接続する配線Ｌｉｎｅ（１）とを一括して挟み込む。クランプメータ１０３の測定部は、クランプ部が挟み込んだ配線に流れる電流の合計値を測定する。クランプメータ１０３の表示部は、測定部によって測定された合計値を表示する。制御部１０４は、クランプメータ１０３の測定部によって測定された合計値に応じて、可変コンデンサ１０２の容量値を増減する。
【００２４】
＜動作＞
次に、図１に示した漏洩電流測定装置１による動作について説明する。なお、ここでは、配線Ｌｉｎｅ（ｂ）上のノードＰにおいて地絡が生じているものとする。
【００２５】
まず、トランスＴ１が駆動しており、単相２線電路に交流電流が流れている。電路には静電容量が存在しているので、電路が漏電すると、その電路には抵抗成分の漏洩電流（地絡電流）Ｉｇｒに加えて静電容量成分の漏洩電流（静電容量成分）Ｉｙが流れる（図２（ａ）参照）。よって、地絡点Ｐから大地を介してノードＮ１に流れる電流（漏洩電流Ｉｏ）は（式１）のように示される。
【００２６】
（Ｉｏ）＝（Ｉｇｒ）＋（Ｉｙ）…（式１）
また、配線Ｌｉｎｅ（ａ）に流れる電流を「電流Ｉａ」とすると、配線Ｌｉｎｅ（ｂ）電を流れる電流Ｉｂの電流値は（式２）のように示される。
【００２７】
（Ｉｂ）＝（Ｉａ）−（Ｉｏ）…（式２）
次に、接続端子１０１ａ，１０１ｂは、配線Ｌｉｎｅ（ａ），Ｌｉｎｅ（ｂ）に接続される。ここで、配線Ｌｉｎｅ（１）には、トランスＴ１の電圧に対して９０°位相が進んだ交流電流Ｉｄが流れる。また、電流Ｉｄの電流値は、可変コンデンサ１０２の容量値に応じて、増減する。
【００２８】
次に、クランプメータ１０３のクランプ部は、単相２線電路の配線Ｌｉｎｅ（ａ），Ｌｉｎｅ（ｂ）と、可変コンデンサ１０２と接続端子１０１ｂとを接続する配線Ｌｉｎｅ（１）とを一括して挟み込む。
【００２９】
次に、クランプメータ１０３の測定部は、一括して挟み込んだ配線Ｌｉｎｅ（ａ），Ｌｉｎｅ（ｂ），Ｌｉｎｅ（１）の各々を流れる電流Ｉａ，Ｉｂ，Ｉｄを合計した値を測定する。次に、クランプメータ１０３の表示部は、測定部によって測定された合計値を表示する。ここで、電流Ｉｂ，Ｉｄは電流Ｉａに対して逆方向に流れるので、クランプメータ１０３に表示される電流値は、（式３）のように示される。
【００３０】
（表示される電流値）＝（Ｉａ）−（Ｉｂ）−（Ｉｄ）…（式３）
よって、（式１），（式２），（式３）より、クランプメータ１０３に表示される電流値は（式４）のようになる。
【００３１】
（表示される電流値）＝（Ｉｏ）−（Ｉｄ）
＝（Ｉｇｒ）＋（Ｉｙ）−（Ｉｄ）…（式４）
配線Ｌｉｎｅ（１）を流れる電流ＩｄはトランスＴ１の電圧に対して位相が９０°進んでいるので、電流Ｉｄは、電流Ｉｏの静電容量成分Ｉｙを打ち消すように作用する（図２（ｂ）参照）。また、クランプメータ１０３に表示される電流値のうち最小値は、地絡電流Ｉｇｒの電流値を示す（図２（ｃ）参照）。
【００３２】
次に、制御部１０４は、クランプメータ１０３に表示される電流値に応じて、可変コンデンサ１０２の容量値を調整する。ここで、制御部１０４による動作について詳しく説明する。
【００３３】
まず、制御部１０４は、クランプメータ１０３の測定部によって合計値の測定が一回完了する毎に、可変コンデンサ１０２の容量値を大きくする。
【００３４】
次に、制御部１０４は、クランプメータ１０３によって新たに測定された合計値と前回の測定結果とを比較する。新たな測定結果（新たな合計値）の方が前回の測定結果（前回の合計値）よりも小さい場合には、制御部１０４は、可変コンデンサ１０２の容量値を大きくする。一方、新たな測定結果（新たな合計値）の方が前回の測定結果（前回の合計値）よりも大きくなると、制御部１０４は、可変コンデンサ１０２の容量値を小さくする。
【００３５】
以上のように、制御部１０４は、クランプメータ１０３に表示される電流値が最小になるように、可変コンデンサ１０２の容量値を増減する。
【００３６】
次に、クランプメータ１０３に表示された電流値（最小の電流値）を地絡電流Ｉｇｒの電流値として読みとる。
【００３７】
このように、可変コンデンサ１０２の容量値を調整して電流Ｉｏから静電容量成分Ｉｙを除去することによって、地絡電流（漏洩電流の抵抗成分）Ｉｇｒの電流値を測定することができる。
【００３８】
＜効果＞
以上より、本実施形態によれば、単相２線電路を停電状態にすることなく漏洩電流の抵抗成分（地絡電流）を測定することができる。
【００３９】
なお、制御部１０２によって可変コンデンサ１０２の容量値を調整するのではなく、観測者がクランプメータ１０３に表示された電流値を参照して直接可変コンデンサ１０２の容量値を調整することも可能である。
【００４０】
（第２の実施形態）
＜全体構成＞
この発明の第２の実施形態による漏洩電流測定装置２の全体構成を図３に示す。この装置２は、図１に示した可変コンデンサ１０２に代えて、可変インダクタンス２０２を備える。その他の構成は図１と同様である。可変インダクタンス２０２は、インダクタンス値を任意に設定することができるコイルであり、接続端子１０１ａと接続端子１０１ｂとの間に接続される。クランプメータ１０３のクランプ部は、単相２線電路の配線Ｌｉｎｅ（ａ），Ｌｉｎｅ（ｂ）と、可変インダクタンス２０２と接続端子１０１ａとを接続する配線Ｌｉｎｅ（２）とを一括して挟み込む。制御部１０４は、クランプメータ１０３の測定部によって測定された合計値に応じて、可変インダクタンス２０２のインダクタンス値を増減する。
【００４１】
＜動作＞
次に、図３に示した漏洩電流測定装置２による動作について説明する。なお、ここでは、配線Ｌｉｎｅ（ｂ）上のノードＰにおいて地絡が生じているものとする。
【００４２】
まず、トランスＴ１が駆動しており、単相２線電路に交流電流が流れている。
【００４３】
次に、接続端子１０１ａ，１０１ｂは、配線Ｌｉｎｅ（ａ），Ｌｉｎｅ（ｂ）に接続される。ここで、配線Ｌｉｎｅ（２）には、トランスＴ１の電圧に対して９０°位相が遅れた交流電流Ｉｄが流れる。また、電流Ｉｄの電流値は、可変インダクタンス２０２のインダクタンス値に応じて、増減する。
【００４４】
次に、クランプメータ１０３のクランプ部は、単相２線電路の配線Ｌｉｎｅ（ａ），Ｌｉｎｅ（ｂ）と、可変インダクタンス２０２と接続端子１０１ａとを接続する配線Ｌｉｎｅ（２）とを一括して挟み込む。
【００４５】
次に、クランプメータ１０３の測定部は、一括して挟み込んだ配線Ｌｉｎｅ（ａ），Ｌｉｎｅ（ｂ），Ｌｉｎｅ（２）の各々を流れる電流Ｉａ，Ｉｂ，Ｉｄを合計した値を測定する。次に、クランプメータ１０３の表示部は、測定部によって測定された合計値を表示する。ここで、電流Ｉｂは電流Ｉａ，Ｉｄに対して逆方向に流れるので、クランプメータ１０３に表示される電流値は、（式５）のように示される。
【００４６】
（表示される電流値）＝（Ｉａ）−（Ｉｂ）＋（Ｉｄ）…（式５）
よって、（式１），（式２），（式５）より、クランプメータ１０３に表示される電流値は（式６）のようになる。
【００４７】
（表示される電流値）＝（Ｉｏ）＋（Ｉｄ）
＝（Ｉｇｒ）＋（Ｉｙ）＋（Ｉｄ）…（式６）
配線Ｌｉｎｅ（２）を流れる電流ＩｄはトランスＴ１の電圧に対して位相が９０°遅れているので、電流Ｉｄは、電流Ｉｏの静電容量成分Ｉｙを打ち消すように作用する（図２（ｂ）参照）。また、クランプメータ１０３に表示される電流値のうち最小値は、地絡電流Ｉｇｒの電流値を示す（図２（ｃ）参照）。
【００４８】
次に、制御部１０４は、第１の実施形態と同様に、クランプメータ１０３の測定部によって測定された合計値に応じて、可変インダクタンス２０２のインダクタンス値を調整する。
【００４９】
次に、第１の実施形態と同様に、クランプメータ１０３に表示された電流値（最小の電流値）を地絡電流Ｉｇｒの電流値として読みとる。
【００５０】
このように、可変インダクタンス２０２の容量値を調整して電流Ｉｏから静電容量成分Ｉｙを除去することによって、地絡電流（漏洩電流の抵抗成分）Ｉｇｒの電流値を測定することができる。
【００５１】
＜効果＞
以上のように、本実施形態によれば、単相２線電路を停電状態にすることなく漏洩電流の抵抗成分を測定することができる。
【００５２】
（第３の実施形態）
＜全体構成＞
この発明の第３の実施形態による漏洩電流測定装置３の全体構成を図４に示す。この装置３は、トランスＴ２および負荷抵抗Ｒ１，Ｒ２，Ｒ３によって構成された三相３線電路に流れる漏洩電流の抵抗成分（地絡電流）を測定する。この装置４は、接続端子３０１ａ，３０１ｂ，３０１ｃと、トランス３０２と、スイッチ部３０３と、制御部３０４と、図１に示した可変コンデンサ１０２およびクランプメータ１０３とを備える。
【００５３】
接続端子３０１ａは、トランスＴ２と負荷抵抗Ｒ１とを接続する配線Ｌｉｎｅ（ａ）に接続される。接続端子３０１ｂは、トランスＴ２と負荷抵抗Ｒ２とを接続する配線Ｌｉｎｅ（ｂ）に接続される。接続端子３０１ｃは、トランスＴ２と負荷抵抗Ｒ３とを接続する配線Ｌｉｎｅ（ｃ）に接続される。
【００５４】
トランス３０２は、配線Ｌｉｎｅ（ａ）と配線Ｌｉｎｅ（ｂ）との間の電圧Ｖａｂと、配線Ｌｉｎｅ（ｃ）と配線Ｌｉｎｅ（ｂ）との間の電圧Ｖｃｂとを合成した電圧（Ｖａｂ＋Ｖｃｂ）を生成する。トランス３０２は、コイル３０２−１〜３０２−４を含む。コイル３０２−１，３０２−２は、接続端子３０１−ａと接続端子３０１−ｃとの間に直列に接続される。コイル３０２−１とコイル３０２−２との相互接続ノードには接続端子３０１ｂが接続される。コイル３０２−３，３０２−４は、ノードＮ３０３−１とノードＮ３０３−２との間に直列に接続される。また、コイル３０２−３とコイル３０２−４とは互いに極性が異なる。例えば、コイル３０２−３が右回りに巻かれているとすると、コイル３０２−４は左回りに巻かれている。コイル３０２−３は、コイル３０２−１との相互インダクタンスが正になるように巻かれている。コイル３０２−４は、コイル３０２−２との相互インダクタンスが負になるように巻かれている。
【００５５】
可変コンデンサ１０２は、ノードＮ３０３−３とノードＮ３０３−４との間に接続される。
【００５６】
スイッチ部３０３は、トランス３０２のコイル３０２−４とノードＮ３０３−２とを接続する配線Ｌｉｎｅ（３）に流れる電流の向きを制御する。スイッチ部３０３は、プラスモードのときには、ノードＮ３０３−１とノードＮ３０３−３とを接続し、ノードＮ３０３−２とノードＮ３０３−４とを接続する。一方、スイッチ部３０３は、マイナスモードのときには、ノードＮ３０３−１とノードＮ３０３−４とを接続し、ノードＮ３０３−２とノードＮ３０３−３とを接続する。
【００５７】
クランプメータ１０３のクランプ部は、三相３線電路の配線Ｌｉｎｅ（ａ），Ｌｉｎｅ（ｂ），Ｌｉｎｅ（ｃ）と、トランス３０２のコイル３０２−４とノードＮ３０３−２とを接続する配線Ｌｉｎｅ（３）とを一括して挟み込む。
【００５８】
制御部３０４は、クランプメータ１０３の測定部によって測定された合計値に応じて、スイッチ部３０３の動作モード（プラスモード，マイナスモード）を決定するとともに、可変コンデンサ１０２の容量値を増減する。
【００５９】
＜動作＞
次に、図４に示した漏洩電流測定装置３による動作について説明する。なお、ここでは、配線Ｌｉｎｅ（ｃ）上のノードＰにおいて地絡が生じているものとする。また、制御部３０４は、スイッチ部３０３の動作モードを「プラスモード」に設定しているものとする。
【００６０】
まず、トランスＴ２が駆動しており、三相３線電路に交流電流が流れている。電路には、抵抗成分Ｉｇｒに加えて、配線Ｌｉｎｅ（ａ），Ｌｉｎｅ（ｂ），Ｌｉｎｅ（ｃ）の静電容量に応じた漏洩電流（静電容量成分）Ｉｙ０が流れる（図５（ａ）参照）。地絡電流Ｉｇｒは、配線Ｌｉｎｅ（ａ）と配線Ｌｉｎｅ（ｂ）との間の電圧Ｖａｂに対して同位相であり、電路における絶縁抵抗の抵抗値に依存する。地絡点Ｐから大地を介してノードＮ２に流れる漏洩電流Ｉｏの静電容量成分Ｉｙ０は、配線Ｌｉｎｅ（ａ）と配線Ｌｉｎｅ（ｂ）との間の静電容量に応じた静電容量成分Ｉｙ１と配線Ｌｉｎｅ（ｂ）と配線Ｌｉｎｅ（ｃ）との間の静電容量に応じた静電容量成分Ｉｙ２とを合成して得られる。静電容量成分Ｉｙ１は配線Ｌｉｎｅ（ａ）と配線Ｌｉｎｅ（ｂ）との間の電圧Ｖａｂに対して位相が９０°進んでおり、静電容量成分Ｉｙ２は配線Ｌｉｎｅ（ｃ）と配線Ｌｉｎｅ（ｂ）との電圧Ｖｃｂに対して位相が９０°進んでいる。また、配線Ｌｉｎｅ（ａ）と配線Ｌｉｎｅ（ｂ）との間の静電容量の容量値は配線Ｌｉｎｅ（ｃ）と配線Ｌｉｎｅ（ｂ）との間の静電容量の容量値と等しい。よって、合成静電容量成分Ｉｙ０は、電圧（Ｖａｂ＋Ｖｃｂ）に対して位相が９０°進んでいる。
【００６１】
以上より、地絡点Ｐから大地を介してノードＮ２に流れる電流Ｉｏは（式７）のように示される。
【００６２】
（Ｉｏ）＝（Ｉｇｒ）＋（Ｉｙ１）＋（Ｉｙ２）
＝（Ｉｇｒ）＋（Ｉｙ０）…（式７）
次に、接続端子３０１ａ，３０１ｂ，３０１ｃは、配線Ｌｉｎｅ（ａ），Ｌｉｎｅ（ｂ），Ｌｉｎｅ（ｃ）に接続される。トランス３０２のコイル３０２−１には、配線Ｌｉｎｅ（ａ）と配線Ｌｉｎｅ（ｂ）との間の電圧Ｖａｂが印加される。よって、トランジスタ３０２のコイル３０２−３には、電圧Ｖａｂが発生する。一方，トランス３０２のコイル３０２−２には、配線Ｌｉｎｅ（ｂ）と配線Ｌｉｎｅ（ｃ）との間の電圧Ｖｂｃが印加される。よって、トランジスタＴ３０２のコイル３０２−４には、電圧Ｖｂｃとに対して逆極性を示す電圧Ｖｃｂが発生する。
【００６３】
次に、スイッチ部３０２とトランスＴ３０２のコイル３０２−４とを接続する配線Ｌｉｎｅ（３）には、電圧（Ｖａｂ＋Ｖｃｂ）に対して位相が９０°進んだ（または位相が９０°遅れた）電流Ｉｄが流れる。また、電流Ｉｄの電流値は、可変コンデンサ１０２の容量値に応じて、増減する。
【００６４】
次に、クランプメータ１０３のクランプ部は、三相３線電路の配線Ｌｉｎｅ（ａ），Ｌｉｎｅ（ｂ），Ｌｉｎｅ（ｃ）と、スイッチ部３０３とトランス３０２のコイル３０２−４とを接続する配線Ｌｉｎｅ（３）とを一括して挟み込む。
【００６５】
ここで、配線Ｌｉｎｅ（ａ）を流れる電流Ｉａ，配線Ｌｉｎｅ（ｂ）を流れる電流Ｉｂ，配線Ｌｉｎｅ（ｃ）のうち地絡点ＰとノードＮ２との間を流れる電流Ｉｃ，および地絡点Ｐから大地を介してノードＮ２に流れる電流Ｉｏは、（式８）のように示される。
【００６６】
（Ｉａ）＋（Ｉｂ）＋（Ｉｃ）＋（Ｉｏ）＝０…（式８）
次に、クランプメータ１０３の測定部は、一括して挟み込んだ配線Ｌｉｎｅ（ａ），Ｌｉｎｅ（ｂ），Ｌｉｎｅ（１）の各々を流れる電流Ｉａ，Ｉｂ，Ｉｄを合計した値を測定する。次に、クランプメータ１０３の表示部は、測定部によって測定された合計値を表示する。クランプメータ１０３の表示部に表示される電流値は、（式９）のように示される。
【００６７】
（表示される電流値）＝（Ｉａ）＋（Ｉｂ）＋（Ｉｃ）＋（Ｉｄ）…（式９）
よって、（式７），（式８），（式９）より、クランプメータ１０３の表示部に表示される電流値は、（式１０）のようになる。
【００６８】
（表示される電流値）＝−（Ｉｏ）＋（Ｉｄ）
＝−（Ｉｇｒ）−（Ｉｙ０）＋（Ｉｄ）…（式１０）
ここで、配線Ｌｉｎｅ（３）を流れる電流Ｉｄは電圧（Ｖａｂ＋Ｖｃｂ）に対して位相が９０°ずれているので、電流Ｉｄは、電流Ｉｏの静電容量成分Ｉｙ０を打ち消すように作用する（図５（ｂ）参照）。また、クランプメータ１０３に表示される電流値（絶対値）うち最小値は、地絡電流Ｉｇｒの電流値に（（√３）／２）を乗した値を示す（図５（ｂ）参照）。
【００６９】
次に、制御部３０４は、クランプメータ１０３の測定部によって測定された合計値に応じて、スイッチ部３０３の動作モードと可変コンデンサ１０２の容量値を制御する。ここで、制御部３０４による動作について詳しく説明する。
【００７０】
まず、制御部３０４は、クランプメータ１０３の測定部によって合計値の測定が一回完了する毎に、可変コンデンサ１０２の容量値を大きくする。
【００７１】
次に、制御部３０４は、クランプメータ１０３によって新たに測定された合計値と前回の測定結果とを比較する。新たな測定結果（新たな合計値）の方が前回の測定結果（前回の合計値）よりも小さい場合には、制御部３０４は、可変コンデンサ１０２の容量値を大きくする。一方、新たな測定結果（新たな合計値）の方が前回の測定結果（前回の合計値）よりも大きくなると、制御部３０４は、可変コンデンサ１０２の容量値を小さくする。
【００７２】
また、制御部３０４は、前回可変コンデンサ１０２の容量値を大きくしたにもかかわらず新たな測定結果が前回の測定結果よりも大きい場合には、スイッチ部３０３の動作モードをもう一方の動作モード（ここでは、「マイナスモード」）に変更する。次に、制御部３０４は、可変コンデンサ１０２の容量値を大きくし、新たな測定結果と前回の測定結果との比較を行う。
【００７３】
以上のように、制御部３０４は、クランプメータ１０３に表示される電流値（絶対値）が最小になるように、スイッチ部３０３の動作モードと可変コンデンサ１０２の容量値を設定する。
【００７４】
次に、クランプメータ１０３に表示された電流値（最小の電流値）に（（√３）／２）を乗した値を地絡電流Ｉｇｒの電流値として読みとる。
【００７５】
このように、可変コンデンサ１０２の容量値を調整して電流Ｉｏから静電容量成分Ｉｃの成分を除去することによって、地絡電流（漏洩電流の抵抗成分）Ｉｇｒの電流値を測定することができる。
【００７６】
＜効果＞
このように、本実施形態によれば、三相３線電路を停電状態にすることなく漏洩電流の抵抗成分を測定することができる。
【００７７】
（第４の実施形態）
＜全体構成＞
この発明の第４の実施形態による漏洩電流測定装置４の全体構成を図６に示す。この装置４は、接続端子４０１ａ，４０１ｃと、可変抵抗４０２と、図１に示したクランプメータ１０３と、図４に示したスイッチ部３０３と、制御部３０４とを備える。
【００７８】
接続端子４０１ａは、トランスＴ２と負荷抵抗Ｒ１とを接続する配線Ｌｉｎｅ（ａ）に接続される。また、接続端子４０１ａは、ノードＮ３０３−１に接続される。接続端子４０１ｃは、トランスＴ２と負荷抵抗Ｒ３とを接続する配線Ｌｉｎｅ（ｃ）に接続される。また、接続端子４０１ｃは、ノードＮ３０３−２に接続される。可変抵抗４０２は、抵抗値を任意に設定することができる抵抗であり、ノードＮ３０３−３とノードＮ３０３−４との間に接続される。クランプメータ１０３のクランプ部は、三相３線電路の配線Ｌｉｎｅ（ａ），Ｌｉｎｅ（ｂ），Ｌｉｎｅ（ｃ）と、ノードＮ３０３−２と接続端子４０１ｃとを接続する配線Ｌｉｎｅ（４）とを一括して挟み込む。制御部３０４は、クランプメータ１０３の測定部によって測定された合計値に応じて、スイッチ部３０３の動作モードおよび可変抵抗４０２の抵抗値を設定する。
【００７９】
＜動作＞
次に、図６に示した漏洩電流測定装置４による動作について説明する。なお、ここでは、配線Ｌｉｎｅ（ｃ）上のノードＰにおいて地絡が生じているものとする。また、制御部３０４は、スイッチ部３０３の動作モードを「プラスモード」に設定しているものとする。
【００８０】
まず、トランスＴ２が駆動しており、三相３線電路に交流電流が流れている。
【００８１】
次に、接続端子４０１ａ，４０１ｃは、配線Ｌｉｎｅ（ａ），Ｌｉｎｅ（ｃ）に接続される。可変抵抗４０２には、配線Ｌｉｎｅ（ａ）と配線Ｌｉｎｅ（ｃ）との間の電圧Ｖｃａが印加される。電圧Ｖｃａは、電圧（Ｖａｂ＋Ｖｃｂ）に対して位相が９０°進んでいる。
【００８２】
次に、ノードＮ３０３−２と接続端子４０１ｃとを接続する配線Ｌｉｎｅ（４）には、電圧（Ｖａｂ＋Ｖｃｂ）に対して位相が９０°進んだ（または位相が９０°遅れた）電流Ｉｄが流れる。また、電流Ｉｄの電流値は、可変抵抗４０２の抵抗値に応じて、増減する。
【００８３】
次に、クランプメータ１０３のクランプ部は、三相３線電路の配線Ｌｉｎｅ（ａ），Ｌｉｎｅ（ｃ）と、ノードＮ３０３−２と接続端子４０１ｃとを接続する配線Ｌｉｎｅ（４）とを一括して挟み込む。
【００８４】
次に、クランプメータ１０３は、第３の実施形態と同様に、一括して挟み込んだ配線Ｌｉｎｅ（ａ），Ｌｉｎｅ（ｂ），Ｌｉｎｅ（１）の各々を流れる電流Ｉａ，Ｉｂ，Ｉｄを合計した値を測定し、その合計値を表示する（（式１０）参照）。
【００８５】
ここで、配線Ｌｉｎｅ（４）を流れる電流Ｉｄは電圧（Ｖａｂ＋Ｖｃｂ）に対して位相が９０°ずれているので、電流Ｉｄは、電流Ｉｏの静電容量成分Ｉｙ０を打ち消すように作用する（図５（ｂ）参照）。また、クランプメータ１０３に表示される電流値うち最小値は、地絡電流Ｉｇｒの電流値に（（√３）／２）を乗した値を示す（図５（ｂ）参照）。
【００８６】
次に、制御部３０４は、第３の実施形態と同様に、クランプメータ１０３の測定部によって測定された合計値に応じて、スイッチ部３０３の動作モードと可変コンデンサ１０２の容量値を制御する。
【００８７】
次に、第３の実施形態と同様に、クランプメータ１０３に表示された電流値（最小の電流値）に（（√３）／２）を乗した値を地絡電流Ｉｇｒの電流値として読みとる。
【００８８】
＜効果＞
以上のように、このように、本実施形態によれば、三相３線電路を停電状態にすることなく漏洩電流の抵抗成分を測定することができる。
【００８９】
（第５の実施形態）
＜全体構成＞
この発明の第５の実施形態による漏洩電流測定装置５の全体構成を図７に示す。この装置５は、トランスＴ１および負荷抵抗Ｒ１によって構成された単相２線電路に流れる漏洩電流のうち抵抗成分の漏洩電流（地絡電流）を測定する。単相２線電路は、配線Ｌｉｎｅ（Ｚ）を介して接地されている。この装置５は、交流電流源５０１と、制御部５０４と、図１に示したクランプメータ１０３と、図６に示した可変抵抗４０２とを備える。交流電流源５０１は、所定の位相を有する交流電流を発生成する。可変抵抗４０２は、交流電流源５０１に接続される。クランプメータ１０３のクランプ部は、単相２線電路の配線Ｌｉｎｅ（Ｚ）と、交流電流源５０１と可変抵抗４０２とを接続する配線Ｌｉｎｅ（５）とを一括して挟み込む。制御部５０４は、クランプメータ１０３の測定部によって測定された合計値に応じて、交流電流源５０１が生成する交流電流Ｉｄの位相および可変抵抗４０２の抵抗値を増減する。
【００９０】
＜動作＞
次に、図７に示した漏洩電流測定装置５による動作について説明する。なお、ここでは、配線Ｌｉｎｅ（ｂ）上のノードＰにおいて地絡が生じているものとする。
【００９１】
まず、トランスＴ１が駆動しており、単相２線電路に交流電流が流れている。このとき、配線Ｌｉｎｅ（Ｚ）には、漏洩電流Ｉｏが流れる（（式１）参照）。
【００９２】
次に、交流電流源５０１は、トランスＴ１における電圧に対して位相が９０°遅れた（または位相が９０°進んだ）交流電圧を生成する。よって、交流電圧源５０１と可変抵抗４０２とを接続する配線Ｌｉｎｅ（５）には、トランスＴ１における電圧に対して位相が９０°遅れた（または位相が９０°進んだ）交流電流Ｉｄを発生する。また、電流Ｉｄの電流値は、可変抵抗４０２の抵抗値に応じて、増減する。
【００９３】
次に、クランプメータ１０３のクランプ部は、単相２線電路の配線Ｌｉｎｅ（Ｚ）と、交流電流源５０１と可変抵抗４０２とを接続する配線Ｌｉｎｅ（５）とを一括して挟み込む。
【００９４】
次に、クランプメータ１０３の測定部は、一括して挟み込んだ配線Ｌｉｎｅ（Ｚ），Ｌｉｎｅ（５）の各々を流れる電流Ｉｏを合計した値を測定する。次に、クランプメータ１０３の表示部は、測定部によって測定された合計値を表示する。クランプメータ１０３に表示される電流値は、（式１１）のように示される。
【００９５】
（表示される電流値）＝（Ｉｏ）＋（Ｉｄ）…（式１１）
よって、（式１），（式１１）より、クランプメータ１０３に表示される電流値は（式１２）のように示される。
【００９６】
（表示される電流値）＝（Ｉｇｒ）＋（Ｉｙ）＋（Ｉｄ）…（式１２）
配線Ｌｉｎｅ（５）を流れる電流ＩｄはトランスＴ１の電圧に対して位相が９０°ずれているので、電流Ｉｄは、電流Ｉｏの静電容量成分Ｉｙを打ち消すように作用する（図２（ｂ）参照）。また、クランプメータ１０３に表示される電流値のうち最小値は、地絡電流Ｉｇｒの電流値を示す（図２（ｃ）参照）。
【００９７】
次に、制御部５０４は、クランプメータ１０３に表示される電流値に応じて、可変抵抗４０２の抵抗値および交流電流源５０１が発生する交流電流の位相を調整する。
【００９８】
ここで、制御部５０４による動作について詳しく説明する。
【００９９】
まず、制御部５０４は、クランプメータ１０３の測定部によって合計値の測定が一回完了する毎に、可変抵抗４０２の抵抗値を大きくする。
【０１００】
次に、制御部５０４は、クランプメータ１０３によって新たに測定された合計値と前回の測定結果とを比較し、新たな測定結果（新たな合計値）の方が前回の測定結果（前回の合計値）よりも小さい場合には可変抵抗４０２の抵抗値を大きくし、新たな測定結果（新たな合計値）の方が前回の測定結果（前回の合計値）よりも大きくなると可変抵抗４０２の抵抗値を小さくする
また、制御部５０４は、前回可変抵抗４０２の抵抗値を大きくしたにもかかわらず新たな測定結果が前回の測定結果よりも大きい場合には、交流電流源５０１が生成する電流の位相を変更する（例えば、９０°位相が遅れている状態から９０°位相が進んでいる状態にする）。次に、制御部５０４は、可変抵抗４０２の容量値を大きくし、新たな測定結果と前回の測定結果との比較を行う。
【０１０１】
以上のように、制御部５０４は、クランプメータ１０３の測定部によって測定された合計値が最小になるように、交流電流源５０１が生成する交流電流の位相と可変抵抗４０２の抵抗値を設定する。
【０１０２】
次に、クランプメータ１０３に表示された電流値（最小の電流値）を地絡電流Ｉｇｒの電流値として読みとる。
【０１０３】
このように、可変抵抗４０２の抵抗値を調整して電流Ｉｏから静電容量成分Ｉｙを除去することによって、地絡電流（漏洩電流の抵抗成分）Ｉｇｒの電流値を測定することができる。
【０１０４】
＜効果＞
このように、本実施形態によれば、単相２線電路を停電状態にすることなく漏洩電流の抵抗成分を測定することができる。
【０１０５】
また、漏洩電流測定装置５は、三相３線電路にも用いることが可能である。漏洩電流測定装置５を三相３線電路に用いた例を図８に示す。
【０１０６】
図８では、交流電流源５０１は、配線Ｌｉｎｅ（ｃ）と配線Ｌｉｎｅ（ａ）との間の電圧Ｖｃａに対して同位相（または位相が１８０°ずれた）電圧Ｖｘを発生する。電圧Ｖｘは、電圧（Ｖａｂ＋Ｖｃｂ）に対して位相が９０°ずれている。よって、交流電流源５０１と可変抵抗４０２とを接続する配線Ｌｉｎｅ５には、電圧（Ｖａｂ＋Ｖｃｂ）に対して位相が９０°ずれた電流Ｉｄが流れる。また、電流Ｉｄの電流値は、可変抵抗４０２の抵抗値に応じて、増減する。制御部５０４は、クランプメータ１０３の測定部によって測定された合計値が最小になるように、交流電流源５０１が生成する交流電流の位相と可変抵抗４０２の抵抗値を設定する。次に、クランプメータ１０３に表示された電流値（最小の電流値）に（（√３）／２）乗じた値を地絡電流Ｉｇｒの電流値として読みとる。このように、本実施形態によれば、三相３線電路を停電状態にすることなく抵抗成分の漏洩電流を測定することができる。
【０１０７】
なお、以上の実施形態では、単相２線電路および三相３線電路について説明したが、他の電路（例えば、Ｖ結線電路，灯動共用電路等）についても適応可能であり同様の作用・効果を得ることができる。つまり、その電路を流れる漏洩電流Ｉｏの静電容量成分Ｉｃに対して位相が１８０°ずれた電流Ｉｄを合成することによって、その漏洩電流の静電容量成分Ｉｃを打ち消すことができれば良い。
【産業上の利用可能性】
【０１０８】
以上説明したように、本発明は、電路の漏洩電流を測定する装置等について有用である。
【図面の簡単な説明】
【０１０９】
【図１】この発明の第１の実施形態による漏洩電流測定装置の全体構成を示す図である。
【図２】クランプメータによって測定される電流について説明するためのベクトル図である。
【図３】この発明の第２の実施形態による漏洩電流測定装置の全体構成を示す図である。
【図４】この発明の第３の実施形態による漏洩電流測定装置の全体構成を示す図である。
【図５】クランプメータによって測定される電流について説明するためのベクトル図である。
【図６】この発明の第４の実施形態による漏洩電流測定装置の全体構成を示す図である。
【図７】この発明の第５の実施形態による漏洩電流測定装置の全体構成を示す図である。
【図８】図８に示した漏洩電流測定装置を三相３線電路に用いた例を示す図である。
【符号の説明】
【０１１０】
１，２，３，４，５    漏洩電流測定装置
１０１ａ，１０１ｂ，３０１ａ，３０１ｂ，３０１ｃ，４０１ａ，４０１ｂ    接続端子
１０２    可変コンデンサ
１０３    クランプメータ
１０４，３０４，５０４    制御部
２０２    可変インダクタンス
３０２    トランス
３０２−１〜３０２−４    コイル
３０３    スイッチ部
４０２    可変抵抗
５０１    交流電流源
【図１】
2006226879.tif 000003
【図２】
2006226879.tif 000004
【図３】
2006226879.tif 000005
【図４】
2006226879.tif 000006
【図５】
2006226879.tif 000007
【図６】
2006226879.tif 000008
【図７】
2006226879.tif 000009
【図８】
2006226879.tif 000010